(57)【要約】【課題】栞が作成された際に使用されていたソフトウェアが画像診断装置内に存在しない場合であっても当該栞が作成された際の環境を復元することが可能な画像診断システム及び画像診断装置を提供することにある。【解決手段】サーバ装置の保管手段は、栞情報格納手段に格納されている栞情報が作成された際の画像診断装置の動作環境を復元するための復元情報を予め保管する。画像診断装置の復元情報受信手段は、保管手段に保管されている復元情報を受信する。画像診断装置のデータ取得手段は、栞情報格納手段に格納されている栞情報に含まれる位置情報に基づいてデータを取得する。画像診断装置の環境復元手段は、復元情報受信手段によって受信された復元情報及びデータ取得手段によって取得されたデータに基づいて、画像診断装置の動作環境を復元する。【選択図】図１
2014133020.tif 000002
【特許請求の範囲】
【請求項１】
画像診断装置及び当該画像診断装置と接続されるサーバ装置を具備する画像診断システムにおいて、
前記画像診断装置は、栞情報格納手段と、復元情報取得手段と、データ取得手段と、環境復元手段とを含み、
前記サーバ装置は、保管手段を含み、
前記栞情報格納手段は、前記画像診断装置の動作中に作成されたデータの位置情報を含む栞情報を格納し、
前記保管手段は、前記栞情報格納手段に格納されている栞情報が作成された際の前記画像診断装置の動作環境を復元するための復元情報を予め保管し、
前記復元情報受信手段は、前記保管手段に保管されている復元情報を受信し、
前記データ取得手段は、前記栞情報格納手段に格納されている栞情報に含まれる位置情報に基づいて前記データを取得し、
前記環境復元手段は、前記復元情報受信手段によって受信された復元情報及び前記データ取得手段によって取得されたデータに基づいて、前記画像診断装置の動作環境を復元する
ことを特徴とする画像診断システム。
【請求項２】
前記画像診断装置は、判定手段を更に含み、
前記栞情報格納手段に格納されている栞情報は、当該栞情報が作成された際の前記画像診断装置の動作環境を示す環境情報を更に含み、
前記判定手段は、前記栞情報格納手段に格納されている栞情報が作成された際の前記画像診断装置の動作環境を当該栞情報に含まれる環境情報に基づいて復元可能か否かを判定し、
前記復元情報受信手段は、前記画像診断装置の動作環境を復元可能でないと判定された場合、前記保管手段に保管されている復元情報を受信する
ことを特徴とする請求項１記載の画像診断システム。
【請求項３】
前記栞情報格納手段に格納されている栞情報に含まれる環境情報は、当該栞情報が作成された際に前記画像診断装置で動作していたアプリケーションを示し、
前記保管手段は、当該栞情報が作成された際に前記画像診断装置で動作していたアプリケーションを前記復元情報として保管し、
前記判定手段は、前記栞情報格納手段に格納されている栞情報に含まれる環境情報によって示されるアプリケーションが前記画像診断装置内に存在するか否かに基づいて、当該栞情報が作成された際の前記画像診断装置の動作環境を復元可能か否かを判定し、
前記復元情報受信手段は、前記保管手段に保管されているアプリケーションを前記サーバ装置からダウンロードし、
前記環境復元手段は、前記復元情報受信手段によってダウンロードされたアプリケーションに前記データ取得手段によって取得されたデータを読み込ませて当該アプリケーションを起動することによって、前記栞情報格納手段に格納されている栞情報が作成された際の前記画像診断装置の動作環境を復元する
ことを特徴とする請求項２記載の画像診断システム。
【請求項４】
前記保管手段は、前記栞情報格納手段に格納されている栞情報が作成された際の前記画像診断装置の動作環境の復元に必要なハードウェアを模擬するためのエミュレータソフトウェアを前記復元情報として更に保管し、
前記復元情報受信手段は、前記保管手段に保管されているエミュレータソフトウェアを前記サーバ装置から更にダウンロードし、
前記環境復元手段は、前記復元情報受信手段によってダウンロードされたエミュレータソフトウェアによって、前記栞情報格納手段に格納されている栞情報が作成された際の前記画像診断装置の動作環境を復元する
ことを特徴とする請求項３記載の画像診断システム。
【請求項５】
画像診断装置及び当該画像診断装置と接続されるサーバ装置を具備する画像診断システムにおいて、
前記画像診断装置は、栞情報格納手段と、データ取得手段と、環境復元手段とを含み、
前記サーバ装置は、保管手段と、処理手段とを含み、
前記栞情報格納手段は、前記画像診断装置の動作中に作成されたデータの位置情報を含む栞情報を格納し、
前記保管手段は、前記栞情報格納手段に格納されている栞情報が作成された際の前記画像診断装置の動作環境を復元するための復元情報を予め保管し、
前記データ取得手段は、前記栞情報格納手段に格納されている栞情報に含まれる位置情報に基づいて前記データを取得し、
前記処理手段は、前記保管手段に保管されている復元情報、前記取得されたデータ及び前記栞情報格納手段に格納されている栞情報が作成された際の前記画像診断装置の動作環境の復元に必要なハードウェアを用いて、当該画像診断装置の動作環境を復元するための処理を実行し、
前記環境復元手段は、前記処理手段による処理結果に基づいて、前記画像診断装置の動作環境を復元する
ことを特徴とする画像診断システム。
【請求項６】
サーバ装置と接続される画像診断装置において、
前記画像診断装置の動作中に作成されたデータの位置情報を含む栞情報を格納する栞情報格納手段と、
前記栞情報格納手段に格納されている栞情報が作成された際の前記画像診断装置の動作環境を復元するための復元情報を前記サーバ装置から受信する復元情報受信手段と、
前記栞情報格納手段に格納されている栞情報に含まれる位置情報に基づいて前記データを取得するデータ取得手段と、
前記復元情報受信手段によって受信された復元情報及び前記データ取得手段によって取得されたデータに基づいて、前記画像診断装置の動作環境を復元する環境復元手段と
を具備することを特徴とする画像診断装置。
【発明の詳細な説明】
【技術分野】
【０００１】
本発明の実施形態は、画像データを管理する画像診断システム及び画像診断装置に関する。
【背景技術】
【０００２】
一般的に、撮像または加工処理によって得られた画像データや付帯情報を画像診断装置（データサーバ）で管理することが知られている。
【０００３】
この画像診断装置では膨大な量のデータが管理されていることから、当該管理されているデータの中から特定のデータ（以下、対象データと表記）を探し出すことは困難である。このため、対象データを素早く見るけるために、一般的に検索という機能が用いられる。
【０００４】
検索は例えば検索キーを入力することによって行われるが、この検索キーの入力の仕方や対象データの書式や内容によっては、適切な検索結果を得ることができない、または対象データと関係度の低い情報が膨大に検索されてしまうような場合がある。
【０００５】
そこで、対象データに対する検索精度を向上させるために、対象データの位置または対象データ中の特定の位置に「印」をつけておく「栞」という技術が提案されている。この技術によれば、対象データの位置等の情報を含む栞（情報）を作成しておくことで、当該対象データを容易に特定することができる。
【０００６】
ところで、上記した栞には対象データの位置が記録されるが、近年では栞が作成された際の環境（例えば、当該栞が作成された際に画像診断装置で使用されていたアプリケーション、処理パラメータ、処理手順等）を更に記録して、当該栞に基づいて対象データを読み出すと同時に、当該栞が作成された環境をも再現（復元）するような技術がある。
【先行技術文献】
【特許文献】
【０００７】
【特許文献１】特開２００５−２５０６４６号公報
【発明の概要】
【発明が解決しようとする課題】
【０００８】
しかしながら、上記したように栞が作成された際の環境を記録していた場合であっても、画像診断装置で使用されていたソフトウェア（アプリケーション）が当該画像診断装置においてバージョンアップされる場合がある。
【０００９】
この場合、栞が作成された際に使用されていた画像診断装置内のソフトウェアが更新されるため、当該栞に記録した情報が利用できなくなり、栞が作成された際の環境を復元できなくなる場合がある。
【００１０】
同様に、栞が作成された際に画像診断装置で使用されていたソフトウェア自体が当該画像診断装置から破棄された場合にも、栞が作成された際の環境を復元することができなくなる。
【００１１】
そこで、本発明が解決しようとする課題は、栞が作成された際の環境を復元することが可能な画像診断システム及び画像診断装置を提供することにある。
【課題を解決するための手段】
【００１２】
実施形態によれば、画像診断装置及び当該画像診断装置と接続されるサーバ装置を具備する画像診断システムが提供される。
【００１３】
前記画像診断装置は、栞情報格納手段と、復元情報取得手段と、データ取得手段と、環境復元手段とを含む。
【００１４】
前記サーバ装置は、保管手段を含む。
【００１５】
前記栞情報格納手段は、前記画像診断装置の動作中に作成されたデータの位置情報を含む栞情報を格納する。
【００１６】
前記保管手段は、前記栞情報格納手段に格納されている栞情報が作成された際の前記画像診断装置の動作環境を復元するための復元情報を予め保管する。
【００１７】
前記復元情報受信手段は、前記保管手段に保管されている復元情報を受信する。
【００１８】
前記データ取得手段は、前記栞情報格納手段に格納されている栞情報に含まれる位置情報に基づいて前記データを取得する。
【００１９】
前記環境復元手段は、前記復元情報受信手段によって受信された復元情報及び前記データ取得手段によって取得されたデータに基づいて、前記画像診断装置の動作環境を復元する。
【図面の簡単な説明】
【００２０】
【図１】実施形態に係る画像診断システムの構成を示すブロック図。
【図２】図１に示す栞情報格納部１２に格納されている栞情報について具体的に説明するための図。
【図３】本実施形態に係る画像診断システムの処理手順を示すフローチャート。
【発明を実施するための形態】
【００２１】
以下、図面を参照して、実施形態について説明する。
【００２２】
図１は、本実施形態に係る画像診断システムの構成を示すブロック図である。図１に示すように、画像診断システムは、画像診断装置１０及びサーバ装置２０を備える。画像診断装置１０及びサーバ装置２０は、ネットワーク３０を介して通信可能に接続されている。なお、本実施形態に係る画像診断システムは、サーバ装置２０が画像診断装置１０に対して各種サービスを提供する例えばクラウドコンピューティングの形態で実現されることができる。
【００２３】
また、本実施形態における画像診断装置１０としては、例えばＸ線ＣＴ装置、ＭＲＩ装置及び画像診断ワークステーション等が想定されている。画像診断装置１０は、画像データ格納部１１、栞情報格納部１２、指示入力部１３、環境抽出部１４、環境復元部１５及び表示部１６を含む。
【００２４】
画像データ格納部１１には、上記した例えばＸ線ＣＴ装置やＭＲＩ装置によって撮像あるいは加工処理された複数の画像データ等が格納されている。画像データ格納部１１に格納されている画像データは、例えば検索キー等を指定することによって検索されて表示されることができる。なお、画像データ格納部１１には、画像データ以外のデータが格納されていても構わない。
【００２５】
栞情報格納部１２には、画像診断装置１０の動作中に作成された栞情報が格納される。栞情報は、例えば画像診断装置１０において起動されているアプリケーションで画像データ格納部１１に格納されている画像データが表示されている際に、当該画像データを指定することによって作成される。
【００２６】
栞情報格納部１２に格納されている栞情報には、当該栞情報が作成される際に指定された画像データの位置情報（つまり、画像データ格納部１１内の位置情報）及び当該栞情報が作成された際の画像診断装置１０の動作環境（状況）を示す環境情報等が含まれる。なお、栞情報に含まれる環境情報は、画像診断装置１０の動作環境として、例えば当該栞情報が作成された際に画像診断装置１０で動作していたアプリケーション等を示す。
【００２７】
指示入力部１３は、画像診断装置１０の操作者による栞情報格納部１２に格納されている栞情報を指定（選択）する操作に応じて、当該栞情報が作成された際の画像診断装置１０の動作環境を復元（再現）する旨の指示を入力する。
【００２８】
環境抽出部１４は、指示入力部１３によって指示が入力された場合、操作者によって指定された栞情報に含まれる環境情報を抽出する。
【００２９】
環境復元部１５は、操作者によって指定された栞情報が作成された際の画像診断装置１０の動作環境を環境抽出部１４によって抽出された環境情報に基づいて復元可能か否かを判定する。
【００３０】
環境復元部１５は、栞情報が作成された際の画像診断装置１０の動作環境を復元可能でないと判定された場合、サーバ装置２０に対して復元要求を送信し、当該サーバ装置２０から当該動作環境を復元するための復元情報を受信する。
【００３１】
環境復元部１５は、栞情報に含まれる位置情報に基づいて、画像データ格納部１１から画像データを取得する。
【００３２】
環境復元部１５は、受信された復元情報及び取得された画像データに基づいて、操作者によって指定された栞情報が作成された際の画像診断装置１０の動作環境を当該画像診断装置１０において復元する。
【００３３】
表示部１６は、環境復元部１５によって復元された画像診断装置１０の動作環境において、環境復元部１５によって取得された画像データを表示する。
【００３４】
サーバ装置２０（クラウドシステム）は、アプリケーションデータベース２１、送受信部２２及び復元情報取得部１２を含む。
【００３５】
アプリケーションデータベース２１は、画像診断装置１０に含まれる栞情報格納部１２に格納されている栞情報が作成された際の当該画像診断装置１０の動作環境を復元するための復元情報を予め保管する。アプリケーションデータベース２１に保管されている復元情報には、栞情報格納部１２に格納されている栞情報が作成された際に画像診断装置１０で動作していたアプリケーション（ソフトウェア）等が含まれる。なお、アプリケーションデータベース２１には、例えば画像診断装置１０に搭載された全てのバージョンのアプリケーションが当該画像診断装置１０の製品毎に保管されている。
【００３６】
送受信部２２は、画像診断装置１０によって送信された復元要求を受信する。送受信部２２によって受信された復元要求は、復元情報取得部２３に渡される。
【００３７】
復元情報取得部２３は、送受信部２２から渡された復元要求に応じてアプリケーションデータベース２１から復元情報を取得する。復元情報取得部２３によってアプリケーションデータベース２１から取得された復元情報は、送受信部２２によって画像診断装置１０に送信される。
【００３８】
ここで、図２を参照して、図１に示す栞情報格納部１２に格納されている栞情報について具体的に説明する。
【００３９】
図２に示すように、栞情報格納部１２に格納されている栞情報は、資源情報、環境情報及び属性情報を含む。
【００４０】
栞情報に含まれる資源情報は、データ名及び位置情報等を含む。データ名は、画像データ格納部１１に格納されている画像データの名称である。位置情報は、画像データの画像データ格納部１１内の位置（当該データが格納されている位置）を示す情報である。なお、資源情報には、画像データ（及び付帯情報）自体が含まれていても構わない。
【００４１】
環境情報は、栞情報が作成された際に画像診断装置１０において動作していたアプリケーションに関する情報が含まれる。換言すれば、環境情報には、栞情報が作成された際の画像診断装置１０の動作環境を復元するために必要な情報が含まれる。
【００４２】
具体的には、環境情報には、製品名、アプリケーション名、バージョン及びパラメータ等を含む。製品名は、栞情報を作成した画像診断装置１０の製品名（つまり、栞情報の保存時の製品名）を示す。アプリケーション名は、栞情報を作成した際に画像診断装置１０において動作していたアプリケーションの名称である。バージョンは、栞情報を作成した際に画像診断装置１０において動作していたアプリケーションのバージョンである。パラメータは、栞情報を作成した際に画像診断装置１０において動作していたアプリケーションに設定されていたパラメータ値である。なお、環境情報には、栞情報を作成した際に画像診断装置１０において動作していたアプリケーションによる処理手順等が含まれていても構わない。環境情報に含まれるこれらの情報によって栞情報を作成した際の画像診断装置１０において動作していたアプリケーションを特定することができる。
【００４３】
属性情報は、栞情報の作成者、有効期限及び作成日等を含む。なお、属性情報は、任意の付加的事項であり、省略されても構わない。
【００４４】
上記した栞情報によれば、位置情報に基づいて画像データ格納部１１内から画像データを取得することができる。また、環境情報によって特定されるアプリケーションが画像診断装置１０内に存在する場合には、当該アプリケーションと画像データとに基づいて当該画像診断装置１０において栞情報が作成された際の動作環境を復元することができる。
【００４５】
次に、図３のフローチャートを参照して、本実施形態に係る画像診断システムの処理手順について説明する。
【００４６】
まず、操作者は、栞情報格納部１２に格納されている栞情報の選択（指定）操作を、画像診断装置１０に対して行うことができる。この場合、画像診断装置１０の表示画面には例えば栞情報格納部１２に格納されている栞情報の一覧が表示され、操作者は、当該一覧の中から１つの栞情報を選択することができる。
【００４７】
指示入力部１３は、操作者によって栞情報が選択された場合、当該栞情報が作成された際の画像診断装置１０の動作環境を復元する旨の指示（栞情報の復元の指示）を入力する（ステップＳ１）。
【００４８】
指示入力部１３によって栞情報の復元の指示が入力された場合、環境抽出部１４は、操作者によって選択された栞情報を栞情報格納部１２から取得する。以下、環境抽出部１４によって取得された栞情報を対象栞情報と称する。
【００４９】
環境抽出部１４は、対象栞情報に含まれる資源情報（位置情報）及び環境情報を抽出する。
【００５０】
環境抽出部１４は、抽出された環境情報（に含まれる製品名、アプリケーション名、バージョン及びパラメータ等）に基づいて対象栞情報が作成された際の画像診断装置１０の動作環境の復元に必要なアプリケーション（つまり、当該環境情報によって示されるアプリケーション）を特定する（ステップＳ３）。以下、環境抽出部１４によって特定されたアプリケーションを対象アプリケーションと称する。
【００５１】
次に、環境復元部１５は、対象栞情報が作成された際の画像診断装置１０の動作環境を復元可能であるか否か（つまり、動作環境の復元に必要な環境があるか否か）を判定する（ステップＳ４）。以下、対象栞情報が作成された際の画像診断装置１０の動作環境を、単に対象栞情報作成時の動作環境と称する。
【００５２】
ステップＳ４の判定処理は、対象アプリケーションが画像診断装置１０内に存在する（つまり、対象アプリケーションが画像診断装置１０に搭載されている）か否かに基づいて行われる。例えば対象アプリケーションが画像診断装置１０内に存在しない場合には、対象栞情報作成時の動作環境を復元可能でないと判定される。一方、例えば対象アプリケーションが画像診断装置１０内に存在する場合には、対象栞情報作成時の動作環境を復元可能であると判定される。
【００５３】
なお、対象アプリケーションのバージョンが画像診断装置１０内に存在するアプリケーションと異なる場合（つまり、対象アプリケーションのバージョンが旧バージョンである場合等）には、対象栞情報作成時の動作環境を復元可能でないと判定される。
【００５４】
対象栞情報作成時の動作環境を復元可能でないと判定された場合（ステップＳ４のＮＯ）、環境復元部１５は、対象栞情報作成時の動作環境の復元に必要な復元情報を取得するための復元要求をサーバ装置２０に対して送信する（ステップＳ５）。サーバ装置２０に対して送信される復元要求には、例えば対象栞情報に含まれる環境情報等が含まれる。
【００５５】
サーバ装置２０に含まれる送受信部２２は、画像診断装置１０（に含まれる環境復元部１５）によって送信された復元要求を受信する。復元情報取得部２３は、送受信部２２によって受信された復元要求に含まれる環境情報とアプリケーションデータベース２１とを照合し、当該環境情報によって示されるアプリケーション（つまり、対象アプリケーション）を含む復元情報を、アプリケーションデータベース２１から取得する。
【００５６】
画像診断装置１０に含まれる環境復元部１５は、復元情報取得部２３によって取得された復元情報（対象アプリケーション）を、サーバ装置２０からダウンロードする（ステップＳ６）。
【００５７】
ここで、環境復元部１５は、対象栞情報に含まれる位置情報に基づいて、画像データ格納部１１から画像データを取得する。以下、環境復元部１５によって取得された画像データを対象画像データと称する。
【００５８】
次に、環境復元部１５は、サーバ装置２０からダウンロードされた対象アプリケーションに対象データを読み込ませて当該対象アプリケーションを起動することによって、対象栞情報作成時の動作環境を復元する（ステップＳ８）。この場合、対象栞情報作成時の動作環境が画像診断装置１０で復元された上で、当該画像診断装置１０（に含まれる表示部１６）では対象画像データが表示される。
【００５９】
このように対象栞情報作成時の動作環境が復元されて対象画像データが表示された場合には、当該対象画像データに対して対象アプリケーションによる処理を更に実行することが可能となる。
【００６０】
なお、サーバ装置２０からダウンロードされた対象アプリケーションは、画像診断装置１０において一時的に復元されたものであり、例えば当該画像診断装置１０の運用に応じて対象画像データに対する処理等が完了した時点で削除されても構わない。
【００６１】
一方、ステップＳ４において対象栞情報作成時の動作環境を復元可能であると判定された場合には、ステップＳ７以降の処理が実行される。具体的には、対象栞情報に含まれる位置情報に基づいて画像データが取得され、当該画像データ及び対象栞情報に含まれる環境情報によって示されるアプリケーション（画像診断装置１０に搭載されているアプリケーション）に基づいて、対象栞情報作成時の動作環境が復元される。
【００６２】
上記したように本実施形態においては、サーバ装置２０（に含まれるアプリケーションデータベース２１）に保管されている復元情報（栞情報が作成された際に画像診断装置１０で動作していたアプリケーション）を取得し、栞情報格納部１２に格納されている栞情報に含まれる位置情報に基づいて画像データ格納部１１から画像データを取得し、当該復元情報及び画像データに基づいて栞情報が作成された際の画像診断装置１０の動作環境を復元する構成により、例えば対象栞情報作成時に画像診断装置１０で動作していたアプリケーションが削除またはバージョンアップされることによって当該画像診断装置１０内に存在しない場合であっても、サーバ装置２０（クラウドシステム）から対象栞情報作成時の動作環境を復元するための復元情報を取得することで当該対象栞情報作成時の動作環境を復元することが可能となる。つまり、本実施形態においては、対象栞情報作成時に画像診断装置１０で動作していたアプリケーションが画像診断装置１０内に存在しない場合であっても当該対象栞情報作成時の動作環境を復元できるため、栞情報の永続的な利用が可能となる。
【００６３】
なお、栞情報格納部１２に格納されている栞情報に含まれる環境情報に含まれる製品名が画像診断装置１０の製品名と異なる場合（つまり、当該栞情報を作成した製品が画像診断装置１０とは別のモダリティ装置である場合）、または当該栞情報が作成された際の画像診断装置１０の動作環境の復元に既に改廃された特殊なハードウェアが必要な場合には、画像診断装置１０はサーバ装置２０から当該ハードウェアを模擬するためのエミュレータソフトウェアをダウンロードし、当該エミュレータソフトウェアを用いて当該動作環境を復元するような構成とすることも可能である。この場合、サーバ装置２０に含まれるアプリケーションデータベース２１には、栞情報が作成された際に画像診断装置１０で動作していたアプリケーションとともにエミュレータソフトウェアが予め保管されていればよい。
【００６４】
また、サーバ装置２０（つまり、クラウドシステム）側に上記した特殊なハードウェアを予め配置しておき、当該サーバ装置２０側で処理を代替するようにしてもよい。この場合、アプリケーションデータベース２１に保管されている復元情報（アプリケーション）、栞情報に含まれる位置情報に基づいて取得された画像データ及びサーバ装置２０に配置された特殊なハードウェアを用いてサーバ装置２０が対象栞情報作成時の動作環境を復元するための処理を実行し、当該処理結果に基づいて画像診断装置１０で当該動作環境が復元されればよい。なお、サーバ装置２０側で処理を代替する際に用いられるソフトウェア（アプリケーション）は、例えば製品時のソフトウェアとは別の当該サーバ装置２０用（つまり、クラウド用）に変更されたものが用いられるものとする。
【００６５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【００６６】
１０…画像診断装置、１１…画像データ格納部、１２…栞情報格納部、１３…指示入力部、１４…環境抽出部、１５…環境復元部、１６…表示部、２０…サーバ装置、２１…アプリケーションデータベース、２２…送受信部、２３…復元情報取得部、３０…ネットワーク。
【図１】
2014133020.tif 000003
【図２】
2014133020.tif 000004
【図３】
2014133020.tif 000005